(57)【要約】【課題】電池の残量やプリペイドカードの残り度数が少なくなったとき、充電サービス店舗やプリペイドカード販売店に関する情報を迅速かつ的確に取得することが可能な店舗位置検索サービスシステム及び携帯端末装置を提供する。【解決手段】携帯端末装置１は、ＧＰＳ衛星２から位置情報を得る機能を備ええ、電池を電源に動作する。携帯端末装置１に無線で接続される基地局３には情報サービスセンター５が接続されており、携帯端末装置１からの電池残量が所定値以下である旨の情報及びＧＰＳによる位置情報を基地局３を介して受けると、現在地近傍に所在する営業中の充電サービス店舗を店舗情報データベース６から抽出し、さらに抽出した店舗までの地図情報を地図情報データベース７から抽出し、各情報を携帯端末装置１へ送出する。携帯端末装置１は、情報サービスセンター５から得た地図情報を表示部に表示する。【選択図】　　　　図１
2004056555.tif 000002
【特許請求の範囲】
【請求項１】
無線電話網に接続された基地局と、
ＧＰＳ（Ｇｌｏｂａｌ　Ｐｏｓｉｔｉｏｎｉｎｇ　Ｓｙｓｔｅｍ）　衛星から取得した位置情報に基づいて現在位置を検出可能であると共に基地局との無線による通信が可能であり、電池を電源として動作する携帯端末装置と、
前記携帯端末装置のサービス提供地域内に存在する店舗の名称、位置、及び営業時間を含む店舗情報が登録されている店舗情報データベースと、
前記サービス提供地域内の地図情報が登録されている地図情報データベースと、
前記携帯端末装置から前記位置情報と前記電池の電池残量またはプリペイドカードの残り度数が所定値以下である旨の残量情報が前記基地局を介して送られてきたとき、前記位置情報及び前記残量情報に対応する店舗を前記店舗情報データベースから抽出すると共に、前記携帯端末装置から前記抽出された店舗までの地図情報を前記地図情報データベースから抽出し、これら抽出結果を前記携帯端末装置へ送出する情報サービスセンターを備えることを特徴とする店舗位置検索サービスシステム。
【請求項２】
前記携帯端末装置は、表示部を備え、前記情報サービスセンターからの情報に基づいて前記抽出された店舗及びこの店舗までの地図を前記表示部に表示することを特徴とする請求項１記載の店舗位置検索サービスシステム。
【請求項３】
前記携帯端末装置は、表示部または音声処理部を備え、前記情報サービスセンターからの情報に基づいて前記抽出された店舗の名称、この店舗への方向と距離を前記音声処理部により音声で通知し、或いは前記表示部に表示することを特徴とする請求項１記載の店舗位置検索サービスシステム。
【請求項４】
前記情報サービスセンターは、前記携帯端末装置に最も近く、かつ営業中の店舗を前記店舗情報データベースから抽出することを特徴とする請求項１記載の店舗位置検索サービスシステム。
【請求項５】
前記店舗は、充電サービス店舗またはプリペイドカード販売店であることを特徴とする請求項１または４記載の店舗位置検索サービスシステム。
【請求項６】
ＧＰＳ（Ｇｌｏｂａｌ　Ｐｏｓｉｔｉｏｎｉｎｇ　Ｓｙｓｔｅｍ）　衛星から取得した位置情報に基づいて現在位置を検出する位置情報検出手段、基地局との間で無線による通信を行う無線部、文字や画像による各種の情報を表示する表示部を備え、電池を電源として動作する携帯端末装置において、
前記電池の残量が所定値以下になったことを検出する電池残量検出部と、
前記電池残量検出部が検出信号を発生したとき、その検出情報と共に前記位置情報検出手段による位置情報を前記基地局側へ通知し、この通知に基づいて現在地周辺に存在する充電サービス店舗に関する店舗情報を前記基地局側から取得し、前記表示部に表示し或いは音声によりガイドする処理を行う制御部を備えることを特徴とする携帯端末装置。
【請求項７】
前記制御部は、前記基地局側からの店舗情報に基づいて前記表示部に現在位置から前記充電サービス店舗までの経路を含む地図、及び前記電池の残量が所定値以下になった旨の警告メッセージを表示することを特徴とする請求項６記載の携帯端末装置。
【請求項８】
ＧＰＳ（Ｇｌｏｂａｌ　Ｐｏｓｉｔｉｏｎｉｎｇ　Ｓｙｓｔｅｍ）　衛星から取得した位置情報に基づいて現在位置を検出する位置情報検出手段、基地局との間で無線による通信を行う無線部、文字や画像による各種の情報を表示する表示部を備えるほか、プリペイドカードの利用が可能な携帯端末装置において、
プリペイドカードの残り度数が所定値以下なったことを検出するプリペイドカード残量検出部と、
前記プリペイドカード残量検出部が検出信号を発生したとき、その検出情報と共に前記位置情報検出手段による位置情報を前記基地局側へ通知し、この通知に基づいて現在地周辺に存在するプリペイドカード販売店に関する店舗情報を前記基地局側から取得し、前記表示部に表示し或いは音声によりガイドする処理を行う制御部を備えることを特徴とする携帯端末装置。
【請求項９】
前記制御部は、前記基地局側からの店舗情報に基づいて前記表示部に現在位置から前記プリペイドカード販売店までの経路を含む地図、及び前記プリペイドカードの残り度数が所定値以下になった旨の警告メッセージを表示することを特徴とする請求項８記載の携帯端末装置。
【請求項１０】
前記制御部は、電源としての電池の残量が所定値以下になったことを検知する電池残量検出部が接続され、その検出情報を前記プリペイドカードの検出情報に代えて用い、或いは前記プリペイドカードの検出情報と共に用いて前記店舗情報の取得を行うことを特徴とする請求項８記載の携帯端末装置。
【発明の詳細な説明】
【０００１】
【発明の属する技術分野】
本発明は、店舗位置検索サービスシステム及び携帯端末装置に関し、特に、電源に用いる電池の電池残量やプリペイドカードの残り度数を表示や音で警告し、更には、充電設備を設置した店舗やプリペイドカード販売店を含む地図がディスプレィに表示されるようにした店舗位置検索サービスシステム及び携帯端末装置に関する。
【０００２】
【従来の技術】
携帯電話機、ＰＨＳ（Ｐｅｒｓｏｎａｌ　Ｈａｎｄｙｐｈｏｎｅ　Ｓｙｓｔｅｍ）電話機、ＰＤＡ（ＰｅｒｓｏｎａｌＤｉｇｉｔａｌ　Ａｓｓｉｓｔａｎｔ）装置等の携帯端末装置は、開発当初は１つの機能に特化されていたが、ＬＳＩ、ＣＰＵ、メモリ等の半導体技術の進歩により、最近では多機能化や複合化が図られている。例えば、携帯電話機やＰＨＳ電話機では本来の電話機能に加え、電子電話帳機能、電子手帳機能、スケジュール機能、ゲーム機能、インターネット接続機能、ＧＰＳ（Ｇｌｏｂａｌ　Ｐｏｓｉｔｉｏｎｉｎｇ　Ｓｙｓｔｅｍ：全世界測位システム）、カメラ機能、音声メモ機能等を備えた機種が市販されている。また、ＰＤＡ装置では、本来の電子手帳及びスケジュールの機能に加え、インターネット接続機能、ＧＰＳ機能、カメラ機能等を備えた機種が市販されている。
【０００３】
更には、携帯端末装置をシステムに組み込むことも行われている。例えば、特開２００１−２０４０８５号公報に示されるように、携帯端末装置にＧＰＳ機能を搭載し、検出した現在位置の位置情報（緯度、経度）と取得したい情報とを電話回線を通して固定局へ伝送し、この情報に基づいて固定局から現在位置周辺又は目的地周辺のデパート、店舗等を含む地図を入手できるようにしている。
【０００４】
或いは、ＧＰＳによりユーザ端末装置で検出した位置情報及び利用者が設定した検索条件に基づいて管理センターのデータベースを検索し、検索条件に該当する店舗を抽出し、この情報をユーザ端末装置へ送信する。ユーザ端末装置では店舗を選択し、この選択結果に応じて管理センターは選択された店舗の位置とユーザ端末装置の位置を含む地図情報をユーザ端末装置へ送り、ユーザ端末装置で地図情報に基づく地図を表示するシステムが特願２００１−２４６８７１号に提案されている。
【０００５】
ところで、携帯端末装置では、屋内外を問わず交流電源を用いずに使用できるようにするため、電源に一次電池又は二次電池が用いられている。電池はその種類（マンガン電池、ニッケル−カドミウム電池、リチウム電池等）に応じた容量値により使用可能時間に限界がある。そのため、利用者は電池の消耗に配慮しながら携帯端末装置を使用しなければならず、電池が放電状態になったときには、交換や充電をしなければならない。殆どの携帯端末装置では、電池の交換や充電の時期を把握できるように、使用中の携帯端末装置の電池残量を表示や音で警告する電池残量機能を備えている。この電池残量機能は、電池の容量低下を段階的に検出して本体のＬＣＤやＬＥＤ等の表示部に表示し、或いは、音声や警告音等によって利用者に警告するものである。
【０００６】
利用者が通常の成人であれば、携帯端末装置の電池残量を警告されることで、それに対応することは可能であるが、利用者が小児、徘徊癖のある老人等であった場合、警告は殆ど意味をなさない。そこで、この様な問題を解決すべく、保護者又は被検索者が携帯端末装置の所持者（小児、徘徊癖のある老人等）の電池残量を把握できるようにしたシステムが特開平１１−１８５１８８号公報に提案されている。この発明では、小児、徘徊癖のある老人等にＧＰＳ機能を搭載した携帯端末装置を所持させ、その所在位置を保護者に通知できるようにしている。
【０００７】
ところで、携帯端末装置を屋外で使用し、かつ、予備の電池を所持していない場合、利用者はたとえ電池残量の低下の通知を受けても、状況の把握しかできず、電池の交換も充電も行えないことになる。このような不便を解消するため、近年、近年繁華街などでは携帯端末装置用の充電設備を備える店舗が現れており、この充電設備を利用することにより、上記のような外出先における携帯端末装置の電池切れに対処することができる。
【０００８】
しかし、そのためには、利用者がこのような店舗がどこにあるのかを予め把握しておき、或いは、現在地周辺で探さなくてはならない。一般的に外出先など不慣れな街中において、短時間の内に充電サービス店舗等を探し出すのは困難である。そこで、充電サービス店舗を検索する手段として、〔０００３〕及び〔０００４〕で説明した特開２００１−２０４０８５号公報や特願２００１−２４６８７１号の発明のように、携帯端末装置を電話回線に接続し、汎用の各種検索サービスを利用する方法が考えられる。
【０００９】
【発明が解決しようとする課題】
しかし、従来の携帯端末装置によると、電池残量が残り少ない状況のもとで、検索に手間取ったり、利用者の操作による検索処理に長時間費やした場合、かえって電池の容量切れを早めることが考えられる。また、汎用の店舗検索サービスを利用した場合、検索の日時に営業していない店舗も表示されるため、どの店舗が現在営業しているか敏速に判断しづらいことが多い。
【００１０】
本発明の目的は、屋外での使用で電池残量やプリペイドカードの残り度数が少なくなったとき、充電サービス店舗やプリペイドカード販売店に関する情報を迅速かつ的確に取得することが可能な店舗位置検索サービスシステム及び携帯端末装置を提供することにある。
【００１１】
【課題を解決するための手段】
本発明は、上記の目的を達成するため、第１の特徴として、無線電話網に接続された基地局と、ＧＰＳ衛星から取得した位置情報に基づいて現在位置を検出可能であると共に基地局との無線による通信が可能であり、電池を電源として動作する携帯端末装置と、前記携帯端末装置のサービス提供地域内に存在する店舗の名称、位置、及び営業時間を含む店舗情報が登録されている店舗情報データベースと、前記サービス提供地域内の地図情報が登録されている地図情報データベースと、前記携帯端末装置から前記位置情報と前記電池の電池残量またはプリペイドカードの残り度数が所定値以下である旨の残量情報が前記基地局を介して送られてきたとき、前記位置情報及び前記残量情報に対応する店舗を前記店舗情報データベースから抽出すると共に、前記携帯端末装置から前記抽出された店舗までの地図情報を前記地図情報データベースから抽出し、これら抽出結果を前記携帯端末装置へ送出する情報サービスセンターを備えることを特徴とする店舗位置検索サービスシステムを提供する。
【００１２】
この構成によれば、携帯端末装置からＧＰＳによる位置情報及び残量情報が情報サービスセンターに送られると、これらの情報に基づいて情報サービスセンターは店舗情報データベース及び地図情報データベースを検索し、携帯端末装置から抽出された店舗までの地図情報を携帯端末装置へ送出し、携帯端末装置において地図情報を表示部に表示することができる。したがって、電池残量やプリペイドカードの残り度数が少なくなったとき、充電サービス店舗やプリペイドカード販売店の所在場所を携帯端末装置において迅速かつ的確に把握することが可能になる。
【００１３】
本発明は、上記の目的を達成するため、第２の特徴として、ＧＰＳ衛星から取得した位置情報に基づいて現在位置を検出する位置情報検出手段、基地局との間で無線による通信を行う無線部、文字や画像による各種の情報を表示する表示部を備え、電池を電源として動作する携帯端末装置において、前記電池の残量が所定値以下になったことを検出する電池残量検出部と、前記電池残量検出部が検出信号を発生したとき、その検出情報と共に前記位置情報検出手段による位置情報を前記基地局側へ通知し、この通知に基づいて現在地周辺に存在する充電サービス店舗に関する店舗情報を前記基地局側から取得し、前記表示部に表示し或いは音声によりガイドする処理を行う制御部を備えることを特徴とする携帯端末装置を提供する。
【００１４】
この構成によれば、携帯端末装置の電池の残量が電池残量検出部により所定値以下になったことが検出されると、その検出情報及びＧＰＳによる携帯端末装置の位置情報が基地局側へ通知され、この通知に対して基地局側から携帯端末装置の現在地周辺に存在する充電サービス店舗に関する店舗情報が返送されると、制御部は店舗情報に基づく表示或いは音声によるガイドを生成する。これにより、電池残量が少なくなったとき、充電サービス店舗の所在場所を携帯端末装置において迅速かつ的確に把握することが可能になり、短時間に電池充電が行えるので、携帯端末装置が使用不能になる状態を回避することができる。
【００１５】
本発明は、上記の目的を達成するため、第３の特徴として、ＧＰＳ衛星から取得した位置情報に基づいて現在位置を検出する位置情報検出手段、基地局との間で無線による通信を行う無線部、文字や画像による各種の情報を表示する表示部を備えるほか、プリペイドカードの利用が可能な携帯端末装置において、プリペイドカードの残り度数が所定値以下なったことを検出するプリペイドカード残量検出部と、前記プリペイドカード残量検出部が検出信号を発生したとき、その検出情報と共に前記位置情報検出手段による位置情報を前記基地局側へ通知し、この通知に基づいて現在地周辺に存在するプリペイドカード販売店に関する店舗情報を前記基地局側から取得し、前記表示部に表示し或いは音声によりガイドする処理を行う制御部を備えることを特徴とする携帯端末装置を提供する。
【００１６】
この構成によれば、プリペイドカードの残り度数がプリペイドカード残量検出部により所定値以下になったことが検出されると、その検出情報及びＧＰＳによる携帯端末装置の位置情報が基地局側へ通知され、この通知に対して基地局側から携帯端末装置の現在地周辺に存在するプリペイドカード販売店に関する店舗情報が返送されると、制御部は店舗情報に基づく表示或いは音声によるガイドを生成する。これにより、プリペイドカードの残り度数が少なくなったとき、プリペイドカード販売店の所在場所を携帯端末装置において迅速かつ的確に把握することが可能になり、短時間にプリペイドカードの補充ができるので、プリペイドカードが使用不能になる状態を回避することができる。
【００１７】
【発明の実施の形態】
以下、本発明の実施の形態を図面に基づいて説明する。
図１は本発明の店舗位置検索サービスシステムを示す。
携帯端末装置１は、携帯電話機、ＰＨＳ電話機、ＰＤＡ装置（携帯電話又はＰＨＳ方式による通信機能を備える）等であり、ＧＰＳ機能を搭載しているため、ＧＰＳ衛星２から取得したＧＰＳ情報により自分の位置を知ることができる。更に、携帯端末装置１は基地局アンテナ４を介して基地局３と無線により通信することができる。基地局３には電話回線８を通して情報サービスセンター５が接続されており、この情報サービスセンター５には店舗情報データベース６、及び地図情報データベース７が接続されている。
【００１８】
店舗情報データベース６は、サービス提供地域内にある携帯端末装置１の充電サービス店舗の名称、位置、営業時間等の店舗情報が予め登録されている。更に、地図情報データベース７には、サービス提供地域内の地図情報が登録されている。この地図情報データベース７の地図情報と、店舗情報データサービス６の店舗情報とを組み合わせることにより、或る特定の日時に営業中の充電サービス店舗の地図を携帯端末装置１のディスプレィ上に表示することが可能になる。
【００１９】
図２は携帯端末装置１の構成を示す。ここでは、携帯端末装置１に携帯電話機を用いるものとする。
携帯端末装置１は、制御部１１、無線部１２、この無線部１２に接続された無線アンテナ１３、位置情報検出部１４、ＬＣＤ表示部１５、音声入出力部１６、この音声入出力部１６に接続されたスピーカ１７、音声入出力部１６に接続されたマイク１８、入力キー１９、電源としての電池２０、この電池２０の電池残量を検出する電池残量検出部２１を備えている。無線部１２、位置情報検出部１４、音声入出力部１６、入力キー１９、及び電池残量検出部２１のそれぞれは、制御部１１に接続されている。
【００２０】
制御部１１はＣＰＵを用いて構成され、携帯端末装置１内の全体を管理する。無線部１２は、送信回路、受信回路、変復調回路等を備えて構成され、基地局との接続により通話やデータ伝送を可能にするほか、電話回線を利用して各種サービスへのアクセスを行うために用いられる。ＬＣＤ表示部１５は液晶表示器を用いて構成され、入力内容、電話番号、各種のサービス内容等を表示する。音声入出力部１６は、無線部１２で受信されたデジタル信号を音声信号に変換してスピーカ１７に出力すると共にマイク１８からの音声信号をデジタル化する。入力キー１９はテンキーや複数の機能キーを備えて構成され、電話番号入力、動作選択等の入力操作に用いられる。電池残量検出部２１は、電池２０の残量を所定のタイミングにより検出する。
【００２１】
図３は、ＬＣＤ表示部１５に表示される画面３０の一例を示す。この画面３０では、電池残量が所定値（動作可能な下限）を下回った場合の警告メッセージ３１、及び携帯端末装置１の現在位置３２から充電サービス店舗３３の所在地までの地図３４が表示される。
【００２２】
図４は、本発明の店舗位置検索サービスシステム及び携帯端末装置における処理を示す。図４においては、ステップをＳで表している。
携帯端末装置１の電源が投入（ＯＮ）されると（Ｓ４０１）、電池２０の容量が電池残量検出部２１により定期的或いは連続的にチェックされ（Ｓ４０２）、電池残量が所定値以下に達したことが検出されると（Ｓ４０３）、この検出を電池残量検出部２１は制御部１１に通知する。この通知を受けた制御部１１は、位置情報検出部１４がＧＰＳ衛星２から取得した位置情報の提供を位置情報検出部１４に要求する。この要求を受けた位置情報検出部１４は、制御部１１に携帯端末装置１の現在地の位置情報を送る（Ｓ４０４）。制御部１１から位置情報の要求が有った時点で最新の位置情報を位置情報検出部１４が未検出である時、位置情報検出部１４はＧＰＳ衛星２から位置情報を取得し（Ｓ４０５）、その位置情報を制御部１１へ通知する。位置情報の通知を受けた制御部１１は、無線部１２に携帯端末装置１の位置情報を通知する。無線部１２は、無線アンテナ１３を介して無線により基地局３と接続し、更に、携帯端末装置１の位置情報及び電池２０の電池残量が所定値以下になった旨の電池残量情報を電話回線を通して情報サービスセンター５に通知する（Ｓ４０６）。
【００２３】
携帯端末装置１から基地局３を経由して位置情報及び電池残量情報の通知を受けた情報サービスセンター５は、まず、店舗情報データベース６から現在営業中の充電サービス店舗を抽出し、更に、携帯端末装置１の位置に最も近い充電サービス店舗を選択する（Ｓ４０７）。次に、地図情報データベース７を参照し、携帯端末装置１の現在位置から選択した充電サービス店舗に至るまでの経路を含む地図情報を付加する（Ｓ４０８）。この情報を情報サービスセンター５は、基地局３を経由して無線により携帯端末装置１に通知する（Ｓ４０９）。なお、情報サービスセンター５で店舗情報を選択する際、候補として携帯端末装置１から近い順に数店舗の店舗情報を抽出し、この情報を携帯端末装置１に通知してもよい。この通知を受けた携帯端末装置１の制御部１１は、図３に示すように、ＬＣＤ表示部１５に携帯端末装置１の電池残量が少ないことを示すメッセージ３１と、その解決策として近隣の営業中の充電サービス店舗の所在を示す地図３３を表示する。
【００２４】
この表示を見た携帯端末装置１の利用者は、充電をしに行っても営業中の充電サービス店舗の店名及び当該充電サービス店舗を含む地図が携帯端末装置１のＬＣＤ表示部１５に表示されることにより、充電が必要になったこと、及び近くに充電を受け付ける充電サービス店舗が存在することを知ることができ、携帯端末装置１の使用者は営業中で最も近い充電サービス店舗を容易にさがし出すことができ、携帯端末装置１の継続使用が可能になる。
【００２５】
なお、利用者に対する充電サービス店舗の案内方法として、図３のように画面上に地図を表示するほか、充電サービス店舗の店舗名と店舗までの方向及び距離を文字や数字で表示してもよいし、音声ガイド等により利用者へアナウンスを行うようにしてもよい。この場合、音声入出力部１６に音声認識手段を備える構成にする必要がある。
【００２６】
次に、本発明の他の実施の形態について説明する。本発明は情報サービスセンター５に所定の情報を送り、この情報に関するデータを情報サービスセンター５から携帯端末装置１に返送するシステムであることから、対象は電池残量に限らない。そこで、第２の実施の形態では、電池残量に代えて携帯端末装置１側でプリペイドカードの残り度数が所定値以下になったことを検出し、このプリペイドカード残量情報に基づいて情報サービスセンター５がプリペイドカードを販売する販売店の名前、位置、営業時間等をデータベースから検索し、更に携帯端末装置１から販売店までを含む地図情報を携帯端末装置１へ提供できるようにしている。
【００２７】
図５は、本発明の第２の実施の形態を示す。本実施の形態における店舗位置検索サービスシステムの構成は図１と同じであるので、図５には携帯端末装置の構成のみを示している。図５に示す携帯端末装置５０が図２の携帯端末装置１と相違するのは、携帯端末装置５０にプリペイドカード残量検出部５１が設けられていることである。プリペイドカード残量検出部５１は、携帯端末装置５０に装填されたプリペイドカードの残り度数を検出し、制御部１１に通知する機能を有している。
【００２８】
ここでは、携帯端末装置１が、予めプリペイドカードを購入しておいて利用するプリペイド式携帯電話機であるとする。本携帯端末装置には、使用中のプリペイドカードの利用可能な残り度数の検出を行うプリペイドカード残量検出部を有する構成とし、情報サービスセンターに接続されている店舗情報データベース中には、サービス提供地域内にある携帯端末装置用プリペイドカード販売店の名前、位置、営業時間等があらかじめ登録されていものとする。
【００２９】
次に、第２の実施の形態の動作について説明する。携帯端末装置５０のプリペイドカード残量検出部５１は、定期的に或いは連続的にプリペイドカード（図示せず）の残り度数チェックを行い、残り度数が規定の量を下回った時に制御部１１に通知を行う。その後の動作は、図４に示した第１の実施の形態と同様であるが、情報サービスセンター５が店舗情報データベース６から読み出す情報は、プリペイドカード販売店の位置及び営業時間等の内容となる。営業中のプリペイドカード販売店の店名及び当該プリペイドカード販売店を含む地図が携帯端末装置５０のＬＣＤ表示部１５に表示されることにより、使用者は、プリペイドカードの残り度数が無くなる前に、営業中で最も近いプリペイドカード販売店を容易にさがし出すことができ、プリペイドカードの連続使用が可能になる。
【００３０】
上記第２の実施の形態においては、プリペイドカードの残量検出を携帯端末装置５０側で行っているが、本発明はこれに限定されるものではなく、例えば、携帯端末装置５０側で行わず、残り度数の検出を電話サービス局側で行う構成であってもよい。
【００３１】
また、上記各実施の形態では、電池残量またはプリペイドカードの残り度数のいずれかの検出を行っていたが、双方の検出を同時に行い、その判定内容に応じて、それぞれの対応店舗を携帯端末装置画面に表示する店舗位置検索サービスシステムであってもよい。
【００３２】
【発明の効果】
以上より明らかなように、本発明の店舗位置検索サービスシステムによれば、携帯端末装置からＧＰＳによる位置情報及び電池またはプリペイドカードの残量情報が情報サービスセンターに送られ、情報サービスセンターは両情報に基づいて店舗情報データベース及び地図情報データベースを検索し、抽出された店舗から携帯端末装置に至る地図情報を携帯端末装置に返送し、この地図情報を携帯端末装置の表示部に表示するようにしたので、電池残量やプリペイドカードの残り度数が少なくなったとき、充電サービス店舗やプリペイドカード販売店の場所を携帯端末装置において迅速かつ的確に把握することが可能になり、携帯端末装置やプリペイドカードが機能しなくなるのを防止することができる。
【００３３】
また、本発明の携帯端末装置によれば、携帯端末装置内の電池が所定値以下の残量になったことを検出する電池残量検出部、その検出情報及びＧＰＳによる携帯端末装置の位置情報を制御部により基地局側へ通知し、この通知に対する基地局側からの携帯端末装置の現在地周辺に存在する充電サービス店舗に関する店舗情報の返送に対し、制御部により店舗情報に基づく表示或いは音声によるガイドを生成する構成にしたので、電池残量が少なくなったとき、充電サービス店舗の所在場所を携帯端末装置において迅速かつ的確に把握することが可能になるために短時間に電池充電が行え、携帯端末装置が使用不能になる状態を回避することができる。
【００３４】
さらに、本発明の他の携帯端末装置によれば、プリペイドカード残量検出部によりプリペイドカードの残り度数が所定値以下になったことを検出し、その検出情報及びＧＰＳによる携帯端末装置の位置情報を制御部により基地局側へ通知し、この通知に対して、携帯端末装置の現在地周辺に存在するプリペイドカード販売店に関する店舗情報が基地局側から返送されたとき、制御部により店舗情報に基づく表示或いは音声によるガイドを生成する構成にしたので、プリペイドカードの残り度数が少なくなったとき、プリペイドカード販売店の所在場所を携帯端末装置において迅速かつ的確に把握することが可能になり、短時間にプリペイドカードの補充ができ、プリペイドカードが使用不能になる状態を回避することができる。
【図面の簡単な説明】
【図１】本発明の店舗位置検索サービスシステムを示す構成図である。
【図２】図１の携帯端末装置の構成を示すブロック図である。
【図３】図１のＬＣＤ表示部に表示される画面一例を示す画面図である。
【図４】本発明の店舗位置検索サービスシステム及び携帯端末装置における処理を示すフローチャートである。
【図５】本発明の第２の実施の形態における携帯端末装置の構成を示すブロック図である。
【符号の説明】
１，５０　携帯端末装置
２　ＧＰＳ衛星
３　基地局
４　基地局アンテナ
５　情報サービスセンター
６　店舗情報データベース
７　地図情報データベース
８　電話回線
１０　ＧＰＳアンテナ
１１　制御部
１２　無線部
１３　無線アンテナ
１４　位置情報検出部
１５　ＬＣＤ表示部
１６　音声入出力部
１７　スピーカ
１８　マイク
１９　入力キー
２０　電池
２１　電池残量検出部
２２　プリペイドカード残量検出部
３０　画面
３１　警告メッセージ
３２　現在位置
３３　充電サービス店舗
３４　地図
【図１】
2004056555.tif 000003
【図２】
2004056555.tif 000004
【図３】
2004056555.tif 000005
【図４】
2004056555.tif 000006
【図５】
2004056555.tif 000007